(57)【要約】【課題】連続階段を昇降することなく、収納部内の物品を階の異なる別の収納部へ物品を移動させることが可能な建物を得る。【解決手段】１階部分１２に設けられた居室３８の上部には、当該居室３８と区画されたミドルストレージ４０が設けられ、ミドルストレージ４０には、当該居室３８とミドルストレージ４０を連通させる開口部７４が設けられている。また、ミドルストレージ４０の上階にはＬＤＫ４６が設けられており、ミドルストレージ４０には、ＬＤＫ４６とミドルストレージ４０を連通させる開口部８６が設けられている。さらに、居室３８の下階には、居室３８と区画されたロアストレージ３９が設けられており、当該ＬＤＫ４６を居室３８を連通させる開口部９２が設けられている。これにより、階段部３０を昇降することなく、収納部内の物品を階の異なる別の収納部、例えば、ミドルストレージ４０からロアストレージ３９へ移動させることが可能となる。【選択図】図１
2020105826.tif 000002
【特許請求の範囲】
【請求項１】
所定の階に設けられた第１空間部と、
前記第１空間部の上部に設けられた第１収納部と、
前記第１収納部と前記第１空間部を連通させる第１開口部と、
前記第１収納部の１つ上階に設けられた第２空間部と、
前記第２空間部と前記第１収納部を連通させる第２開口部と、
前記第１空間部の１つ下階に設けられた第２収納部と、
前記第２収納部と前記第１空間部を連通させる第３開口部と、
を有する建物。
【請求項２】
前記第３開口部は、前記第１空間部の床部において、平面視で、前記第１開口部が設けられた幅領域の範囲内に設けられている請求項１に記載の建物。
【請求項３】
前記第１空間部に隣接して設けられた第３空間部と、
前記第１開口部が形成された壁部に対して交叉し前記第１空間部と前記第３空間部を区画する区画壁において前記壁部側に設けられ、当該第１空間部と第３空間部の間で人の往来を可能にする出入り口と、
をさらに有し、
前記第３開口部は、前記第１空間部の床部において、平面視で、前記壁部から前記出入り口が設けられた幅領域までを含む範囲内に設けられている請求項１又は請求項２に記載の建物。
【請求項４】
前記第３空間部が玄関ホールである請求項３に記載の建物。
【請求項５】
所定の階に設けられた第１空間部と、
前記第１空間部の上部に設けられた第１収納部と、
前記第１収納部と前記第１空間部を連通させる第１開口部と、
前記第１収納部の１つ上階に設けられた第２空間部と、
前記第２空間部と前記第１収納部を連通させる第２開口部と、
前記第２空間部に設けられた第２収納部と、
前記第２収納部と前記第２空間部を連通させる第３開口部と、
を有する建物。
【請求項６】
前記第１収納部と隣接して設けられた玄関部と、
前記玄関部と当該第１収納部を連通させる第４開口部と、
をさらに有する請求項１〜請求項５の何れか１項に記載の建物。
【発明の詳細な説明】
【技術分野】
【０００１】
本発明は、建物に関する。
【背景技術】
【０００２】
例えば、下記特許文献１には、建物の１階に設けられたガレージの奥側の上部に収納スペース（以下、「収納部」という）が設けられ、収納部と、上階の居室（以下、「上階居室」という）及び当該収納部と同じ床高さであって収納部に隣接する居室（以下、「隣接居室」という）との間をそれぞれ連通可能とする技術が開示されている。この先行技術では、上記構成により、ガレージ、収納部、上階居室、隣接居室との間で物品の移動が可能とされる。
【先行技術文献】
【特許文献】
【０００３】
【特許文献１】特開２００８−１４０４６号公報
【発明の概要】
【発明が解決しようとする課題】
【０００４】
しかしながら、上記先行技術では、前述のように、ガレージから収納部、収納部から上階居室又は隣接居室との間で物品を容易に移動させることができるが、さらに階の異なる別の収納部へ当該物品を移動させるとなると、異なる階に対して連続的に設けられた階段（以下、「連続階段」という）を昇降する必要が生じる。このため、連続階段を昇降することなく、収納部内の物品を階の異なる別の収納部へ物品を移動させるには、さらなる改善の余地がある
【０００５】
本発明は上記事実を考慮し、連続階段を昇降することなく、収納部内の物品を階の異なる別の収納部へ物品を移動させることが可能な建物を得ることが目的である。
【課題を解決するための手段】
【０００６】
上記目的を達成するために、第１の態様に係る建物は、所定の階に設けられた第１空間部と、前記第１空間部の上部に設けられた第１収納部と、前記第１収納部と前記第１空間部を連通させる第１開口部と、前記第１収納部の１つ上階に設けられた第２空間部と、前記第２空間部と前記第１収納部を連通させる第２開口部と、前記第１空間部の１つ下階に設けられた第２収納部と、前記第２収納部と前記第１空間部を連通させる第３開口部と、を有している。
【０００７】
第１の態様に係る建物では、所定の階に設けられた第１空間部の上部には、第１収納部が設けられており、当該第１収納部と第１空間部とは、第１開口部によって連通されている。また、第１収納部の１つ上階には、第２空間部が設けられており、当該第２空間部と第１収納部とは、第２開口部によって連通されている。さらに、第１空間部の１つ下階には、第２収納部が設けられており、当該第２収納部と第１空間部とは、第３開口部によって連通されている。
【０００８】
本態様では、第１空間部と当該第１空間部の上部に設けられた第１収納部とは、第１開口部によって繋がり、第１収納部と当該第１収納部の１つ上階に設けられた第２空間部とは、第２開口部によって繋がっている。また、第１空間部と当該第１空間部の１つ下階に設けられた第２収納部とは、第３開口部によって繋がっている。
【０００９】
すなわち、本態様では、第１収納部は第１空間部の上部に設けられているため、第１収納部の底面（床面）の高さ位置と第１空間部の床面の高さ位置（いわゆる「床高さ」）は異なっている。また、第２空間部は第１収納部の１つ上階に設けられ、第２収納部は第１空間部の１つ下階に設けられている。つまり、第２空間部、第１収納部、第１空間部及び第２収納部は、それぞれ床高さが異なっている。
【００１０】
したがって、本態様では、建物の上から順に、第２開口部、第１開口部及び第３開口部を通じて、第２空間部、第１収納部、第１空間部及び第２収納部が繋がっている。これにより、本態様では、連続階段を昇降することなく、収納部内の物品を階の異なる別の収納部へ移動させることが可能となる。
【００１１】
第２の態様に係る建物は、第１の態様に係る建物において、前記第３開口部は、前記第１空間部の床部において、平面視で、前記第１開口部が設けられた幅領域の範囲内に設けられている。
【００１２】
第２の態様に係る建物では、第３開口部は、第１空間部の床部に設けられており、平面視で、第１開口部が設けられた幅領域の範囲内に配置されている。これにより、第３開口部が、平面視で、第１開口部が設けられた幅領域の範囲外に配置された場合と比較して、物品を移動させる距離が短くなる分、第１収納部と第２収納部との間で物品の出し入れが容易になる。
【００１３】
なお、本態様における「第１開口部が設けられた幅領域の範囲内」とは、当該第３開口部の少なくとも一部が、当該第１開口部が設けられた幅領域の範囲内に設けられていればよいという意味である。
【００１４】
第３の態様に係る建物は、第１の態様又は第２の態様に係る建物において、前記第１空間部に隣接して設けられた第３空間部と、前記第１開口部が形成された壁部に対して交叉し前記第１空間部と前記第３空間部を区画する区画壁において前記壁部側に設けられ、当該第１空間部と第３空間部の間で人の往来を可能にする出入り口と、をさらに有し、前記第３開口部は、前記第１空間部の床部において、平面視で、前記壁部から前記出入り口が設けられた幅領域までを含む範囲内に設けられている。
【００１５】
第３の態様に係る建物では、第１空間部に隣接して第３空間部が設けられており、第１収納部と第１空間部を連通させる第１開口部が形成された壁部に対して、第１空間部と第３空間部を区画する区画壁が交叉して設けられている。当該区画壁には、当該壁部側において、第１空間部と第３空間部の間で人の往来を可能にする出入り口が設けられている。
【００１６】
そして、第１空間部と第２収納部を連通させる第３開口部は、第１空間部の床部に設けられ、平面視で、第１開口部が形成された壁部から出入り口が設けられた幅領域までを含む範囲内に配置されている。これにより、第３開口部が、平面視で、第１開口部が形成された壁部から出入り口が設けられた幅領域までを含む範囲外に配置された場合と比較して、第１収納部と第２収納部との間で物品を移動させる距離が短くなる分、物品の出し入れが容易になる。
【００１７】
なお、本態様における「第１開口部が形成された壁部から出入り口が設けられた幅領域までを含む範囲内」とは、当該第３開口部の少なくとも一部が、当該第１開口部が形成された壁部から出入り口が設けられた幅領域までを含む範囲内に設けられていればよいという意味である。
【００１８】
第４の態様に係る建物は、第３の態様に係る建物において、前記第３空間部が玄関ホールである。
【００１９】
第４の態様に係る建物では、第３空間部が玄関ホールであるため、玄関ホールと第１収納部が設けられた第１空間部は隣接して設けられることとなる。一般に、玄関ホールと玄関部は隣接された状態で設けられるため、本態様では、玄関部の近くに第１空間部は設けられることとなる。したがって、本態様では、玄関部と第１空間部との間で物品の移動をできるだけ短くして、玄関部と第１収納部又は第２収納部との間で物品の出し入れを容易にすることが可能となる。
【００２０】
第５の態様に係る建物は、所定の階に設けられた第１空間部と、前記第１空間部の上部に設けられた第１収納部と、前記第１収納部と前記第１空間部を連通させる第１開口部と、前記第１収納部の１つ上階に設けられた第２空間部と、前記第２空間部と前記第１収納部を連通させる第２開口部と、前記第２空間部に設けられた第２収納部と、前記第２収納部と前記第２空間部を連通させる第３開口部と、を有している。
【００２１】
第５の態様に係る建物では、所定の階に設けられた第１空間部の上部には、第１収納部が設けられており、当該第１収納部と第１空間部とは、第１開口部によって連通されている。また、第１収納部の１つ上階には、第２空間部が設けられており、当該第２空間部と第１収納部とは、第２開口部によって連通されている。さらに、第２空間部には第２収納部が設けられており、第２収納部と第２空間部とは、第３開口部によって連通されている。
【００２２】
本態様では、第１空間部と当該第１空間部の上部に設けられた第１収納部とは、第１開口部によって繋がり、第１収納部と当該第１収納部の１つ上階に設けられた第２空間部とは、第２開口部によって繋がっている。また、第２空間部と当該第２空間部に設けられた第２収納部とは、第３開口部によって繋がっている。
【００２３】
すなわち、本態様では、第１収納部は第１空間部の上部に設けられているため、第１収納部の床高さと第１空間部の床高さは異なっている。また、第２空間部は第１収納部の１つ上階に設けられ、第２収納部は第２空間部に設けられている。つまり、（第２空間部）、第１収納部及び第１空間部は、それぞれ床高さが異なっている。
【００２４】
したがって、本態様では、建物の上から順に第３開口部、第２開口部及び第１開口部を通じて、第２収納部（第２空間部）、第１収納部及び第１空間部が繋がっている。これにより、本態様では、連続階段を昇降することなく、収納部内の物品を階の異なる別の収納部へ移動させることが可能となる。
【００２５】
第６の態様に係る建物は、第１の態様〜第５の態様の何れか１の態様に記載の建物において、前記第１収納部と隣接して設けられた玄関部と、前記玄関部と当該第１収納部を連通させる第４開口部と、をさらに有している。
【００２６】
第６の態様に係る建物では、第１収納部と隣接して玄関部が設けられており、当該玄関部と第１収納部とは、第４開口部によって連通されている。すなわち、本態様では、第１収納部は、第１空間部及び第２空間部以外に玄関部とも繋がることとなる。このため、玄関部で荷下ろしした物品を第１収納部に収納することによって、連続階段を昇降することなく、当該第１収納部を通じて、第１空間部又は第２空間部へ移動させることが可能となる。
【発明の効果】
【００２７】
以上説明したように、第１の態様に係る建物は、連続階段を昇降することなく、収納部内の物品を階の異なる別の収納部へ物品を移動させることが可能な建物を得ることが目的である。
【図面の簡単な説明】
【００２８】
【図１】本実施の形態に係る建物の要部を含む位置で鉛直方向に沿って切断したときの断面図である。
【図２】本実施の形態に係る建物を右斜め後方側から見て示す斜視図である。
【図３】本実施の形態に係る建物の１階部分を示す平面図である。
【図４】本実施の形態に係る建物の２階部分を示す平面図である。
【図５】本実施の形態に係る建物の３階部分を示す平面図である。
【発明を実施するための形態】
【００２９】
以下、図面を用いて、本発明の一実施の形態に係る建物について説明する。
＜建物の全体構成＞
まず、本発明の一実施の形態に係る建物の全体構成について説明する。
【００３０】
図１に示される建物１０は、例えば、鉄骨軸組工法により構築された３階建ての住宅とされており、１階部分１２、２階部分１４及び３階部分１６が設けられている。さらに、本実施形態では、０．５階部分１８及び１．５階部分２０が設けられている。また、建物１０は、図５に示されるように、平面視で矩形状を成す形状とされている。当該建物１０は、外形を形成する外壁１１Ａ、１１Ｂ、１１Ｃ、１１Ｄを含んで構成されており、当該外壁１１Ａは、建物１０の正面側とされ、道路１３に面して配置されている。
【００３１】
（１階部分）
ここで、建物１０の１階部分１２について説明する。
【００３２】
図３に示されるように、建物１０の屋内１５の１階部分１２は、平面視で、建物右側２２において、建物正面２４側に玄関部２６が設けられている。当該建物右側２２では、建物１０の桁方向（矢印Ａ方向）に沿って正面側から奥側へ向かって、当該玄関部２６、玄関ホール２８が設けられている。玄関ホール２８の右奥には、上階まで連続して繋がる、いわゆる連続階段としての階段部３０が設けられており、玄関ホール２８の左奥には、トイレ３２が設けられている。
【００３３】
また、玄関部２６は、平面視で略矩形状を成しており、玄関ホール２８は略逆Ｌ字状を成している。さらに、階段部３０、トイレ３２は、平面視でそれぞれ略矩形状を成しており、建物右側２２では、玄関ホール２８、階段部３０及びトイレ３２の配置によって、平面視で略矩形状を成す形状とされている。なお、玄関部２６と玄関ホール２８の間には、段差が設けられており、玄関ホール２８は、玄関部２６よりも高い位置となるように設定されている。
【００３４】
一方、建物左側３４には、建物正面２４側にインナガレージ３６が設けられている。なお、当該インナガレージ３６は屋外１７に設けられているが、屋内１５側に設けられてもよい。当該建物左側３４では、建物１０の桁方向（矢印Ａ方向）に沿って正面側から奥側へ向かって、当該インナガレージ３６、居室３８が設けられている。
【００３５】
また、インナガレージ３６及び居室３８は、平面視でそれぞれ略矩形状を成しており、建物左側３４では、インナガレージ３６及び居室３８の配置によって、平面視で略矩形状を成す形状とされている。なお、当該居室３８と玄関ホール２８の間には、段差が設けられており、居室３８は玄関ホール２８よりも高い位置となるように設定されている。つまり、当該居室３８は、いわゆるスキップフロアとされている。
【００３６】
なお、居室３８と玄関ホール２８の間には、当該居室３８と玄関ホール２８を区画する区画壁３７が設けられており、当該区画壁３７には出入り口３７Ａが設けられ、当該出入り口３７Ａを通じて居室３８と玄関ホール２８の間で人の往来が可能となる。
【００３７】
（２階部分）
次に、建物１０の２階部分１４について説明する。
【００３８】
図４に示されるように、建物１０の屋内１５の２階部分１４は、建物正面２４側において、当該建物１０の妻方向（矢印Ｂ方向）の全域に亘ってバルコニー４２が設けられている。そして、建物１０の屋内１５側には、当該バルコニー４２の奥側にリビングダイニングキッチン（以下、「ＬＤＫ」という）４６が設けられている。
【００３９】
ＬＤＫ４６は、平面視で略逆Ｌ字状を成しており、この図では、建物右側２２がリビング４８とされ、建物左側３４がダイニング５０とされている。そして、ダイニング５０の奥側がキッチン５２とされており、キッチン５２とダイニング５０の境界部分には、２階部分１４の高さ方向の全域に亘って収納棚９６が設けられている。なお、リビング４８の奥側には、階段部３０が設けられており、ＬＤＫ４６及び階段部３０の配置によって、平面視で矩形状を成す形状とされている。
【００４０】
（３階部分）
次に、建物１０の３階部分１６について説明する。
【００４１】
図５に示されるように、建物１０の屋内１５の３階部分１６は、平面視で、建物右側２２において、建物正面２４側に浴室５４が設けられている。当該建物右側２２では、建物１０の桁方向（矢印Ａ方向）に沿って正面側から奥側へ向かって、当該浴室５４、洗面室５６が設けられている。
【００４２】
そして、洗面室５６の右奥にはトイレ５８が設けられており、トイレ５８の奥側には階段上収納部６０が設けられている。また、洗面室５６の左奥には廊下６２が設けられており、階段上収納部６０及び廊下６２の奥側には階段部３０が設けられている。さらに、浴室５４、洗面室５６、トイレ５８、階段上収納部６０、廊下６２及び階段部３０は、それぞれ平面視で矩形状を成している。そして、建物右側２２では、浴室５４、洗面室５６、トイレ５８、階段上収納部６０、廊下６２及び階段部３０によって、平面視で矩形状を成すように配置されている。
【００４３】
また、建物左側３４には、建物正面２４側にバルコニー６４が設けられている。建物１０の屋内１５側には、当該バルコニー６４の奥側に室内干しスペース６６が設けられており、室内干しスペース６６の奥側には、主寝室６８が設けられている。主寝室６８内には、室内干しスペース６６側にＷＩＣ（ウォークインクローゼット）７０が設けられており、ＷＩＣ７０には、主寝室６８と連通する開口部７０Ａが設けられている。室内干しスペース６６及びＷＩＣ７０は、平面視で矩形状を成している。主寝室６８は平面視でＬ字状を成しており、建物左側３４では、室内干しスペース６６、ＷＩＣ７０及び主寝室６８によって、平面視で矩形状を成すように配置されている。
【００４４】
（１．５階部分）
ところで、本実施形態では、図１に示されるように、建物１０において、インナガレージ３６の奥側上部、つまり、居室３８のインナガレージ３６側の上部には、ミドルストレージ４０が設けられている。１階部分１２には、外壁１１Ａにおいて軒部４１が設けられており、当該軒部４１にミドルストレージ４０が設けられている。
【００４５】
このため、ミドルストレージ４０の底面（床面）の高さ方向の位置（以下、床高さ」という）Ｈ１は、居室３８の床高さＨ２よりも高い位置となるように設定されており、ミドルストレージ４０は、当該建物１０において、１．５階部分２０を構成している。
【００４６】
（０．５階部分）
また、本実施形態では、建物１０において、居室３８の下方側には、ロアストレージ３９が設けられている。図示はしないが、当該ロアストレージ３９は、平面視で、居室３８と重なるように設けられており、ロアストレージ３９の床高さＨ３は、地盤面ＧＬよりも下方側に設定されている。そして、当該ロアストレージ３９は、建物１０において、０．５階部分１８を構成している。
【００４７】
＜建物の要部の構成＞
図１に示されるように、本実施形態では、１階部分１２に居室３８が設けられ、居室３８の上部、つまり１．５階部分２０にはミドルストレージ４０が設けられている。また、ミドルストレージ４０の１つ上階、つまり２階部分１４にはＬＤＫ４６が設けられている。一方、居室３８の１つ下階、つまり０．５階部分１８にはロアストレージ３９が設けられている。
【００４８】
本実施形態では、図１、図２に示されるように、１．５階部分２０のミドルストレージ４０は、１階部分１２の居室３８と隣接しており、当該ミドルストレージ４０の上方側には、２階部分１４のＬＤＫ４６が設けられている。当該ミドルストレージ４０と居室３８の間を区画する縦壁部（壁部）７２には、開口部７４が形成されている。この開口部７４を通じて、ミドルストレージ４０と居室３８とは連通可能とされており、開口部７４内には、ミドルストレージ４０内を開閉する開閉扉７６が設けられている。
【００４９】
また、ミドルストレージ４０とＬＤＫ４６の間には、当該ＬＤＫ４６の床部８４に開口部８６が形成されている。この開口部８６を通じて、ミドルストレージ４０とＬＤＫ４６（特に、ダイニング５０）とは連通可能とされており、開口部８６内には、ミドルストレージ４０内を開閉する開閉扉８８が設けられている。
【００５０】
すなわち、本実施形態では、１階部分１２に設けられた居室３８と、１．５階部分２０に設けられたミドルストレージ４０とは、開口部７４を通じて互いに繋がり、ミドルストレージ４０と２階部分１４に設けられたＬＤＫ４６とは、開口部８６を通じて互いに繋がることとなる。
【００５１】
一方、０．５階部分１８に設けられたロアストレージ３９と１階部分１２に設けられた居室３８の間には、当該居室３８の床部９０に開口部９２が形成されている。この開口部９２を通じて、ロアストレージ３９と居室３８とは連通可能とされており、開口部９２内には、ロアストレージ３９内を開閉する開閉扉９４が設けられている。
【００５２】
以上のような構成により、０．５階部分１８に設けられたロアストレージ３９と、１階部分１２に設けられた居室３８とは、開口部９２を通じて互いに繋がり、当該居室３８と１．５階部分２０に設けられたミドルストレージ４０とは、開口部７４を通じて互いに繋がる。そして、ミドルストレージ４０と２階部分１４に設けられたＬＤＫ４６とは、開口部８６を通じて互いに繋がることとなる。
【００５３】
ここで、ロアストレージ３９と居室３８とを繋ぐ開口部９２の位置について、具体的に説明する。図３に示されるように、本実施形態では、居室３８の床部９０において、当該開口部９２の一部が、平面視で、ミドルストレージ４０と居室３８を繋ぐ開口部７４が設けられた幅領域Ｗ１の範囲内に設けられている。
【００５４】
前述したように、居室３８と玄関ホール２８の間には区画壁３７が設けられているが、当該区画壁３７は、ミドルストレージ４０と居室３８との間を区画する縦壁部７２に対して略直交して設けられている。そして、当該区画壁３７に設けられた出入り口３７Ａは、当該縦壁部７２側に設けられており、ロアストレージ３９と居室３８とを繋ぐ開口部９２の一部は、平面視で、当該縦壁部７２から出入り口３７Ａが設けられた幅領域Ｗ２までを含む範囲Ｗ３内に配置されている。
【００５５】
ところで、本実施形態では、図１に示されるように、上記構成に加えてさらに、第２空間部としてのＬＤＫ４６に設けられた収納棚９６の上段部９６Ｂがとなる。そして、当該収納棚９６の開口部９６Ａを通じて、ＬＤＫ４６と収納棚９６とが連通している。また、収納棚９６（ＬＤＫ４６）の１つ上階、つまり３階部分１６には、主寝室６８が設けられている。
【００５６】
当該収納棚９６の上段部９６Ｂと主寝室６８の間には、当該主寝室６８の床部６９において、開口部７１が形成されている。この開口部７１を通じて、収納棚９６（ＬＤＫ４６）と主寝室６８とが連通しており、開口部７１及び開口部９６Ａを通じて、３階部分１６の主寝室６８及び２階部分１４の収納棚９６（ＬＤＫ４６）が繋がることとなる。
【００５７】
すなわち、本実施形態では、前述のように、０．５階部分１８に設けられたロアストレージ３９と、１階部分１２に設けられた居室３８とは、開口部９２を通じて互いに繋がり、当該居室３８と１．５階部分２０に設けられたミドルストレージ４０とは、開口部７４を通じて互いに繋がる。そして、ミドルストレージ４０と２階部分１４に設けられたＬＤＫ４６とは、開口部８６を通じて互いに繋がる。さらに、ＬＤＫ４６に設けられた収納棚９６と３階部分１６に設けられた主寝室６８とは、開口部７１を通じて互いに繋がる。
【００５８】
さらに、図２に示されるように、ミドルストレージ４０は、１階部分１２の玄関部２６と隣接しており、当該ミドルストレージ４０と玄関部２６との間を区画する縦壁部７８には、開口部８０が形成されている。この開口部８０を通じて、ミドルストレージ４０と玄関部２６とは連通可能とされており、開口部８０内には、ミドルストレージ４０内を開閉する開閉扉８２が設けられている。
【００５９】
（建物の作用及び効果）
次に、本発明の一実施の形態に係る建物の作用及び効果について説明する。
【００６０】
図１、図２に示されるように、本実施形態では、１階部分１２に設けられた居室３８の上部に、当該居室３８と区画されたミドルストレージ４０が設けられ、ミドルストレージ４０には、当該居室３８と当該ミドルストレージ４０を連通させる開口部７４が設けられている。また、ミドルストレージ４０の上階、つまり２階部分１４にはＬＤＫ４６が設けられ、当該ＬＤＫ４６の床部８４には、当該ＬＤＫ４６とミドルストレージ４０を連通させる開口部８６が設けられている。さらに、ＬＤＫ４６の上階、つまり３階部分１６には主寝室６８が設けられ、当該主寝室６８の床部６９には、当該主寝室６８とＬＤＫ４６に設けられた収納棚９６の上段部９６Ｂを連通させる開口部７１が設けられている。一方、居室３８の下階には、居室３８と区画されたロアストレージ３９が設けられており、居室３８の床部９０には、当該ロアストレージ３９と居室３８を連通させる開口部９２が設けられている。
【００６１】
以上のような構成により、本実施形態では、１．５階部分２０に設けられたミドルストレージ４０に設けられた開口部７４を通じて、当該ミドルストレージ４０と１階部分１２に設けられた居室３８が繋がる。また、ＬＤＫ４６の床部８４に設けられた開口部８６を通じて、当該ミドルストレージ４０と２階部分１４に設けられたＬＤＫ４６が繋がる。また、主寝室６８の床部６９に設けられた開口部７１を通じて、ＬＤＫ４６と３階部分１６に設けられた主寝室６８が繋がる。さらに、居室３８の床部９０に設けられた開口部９２を通じて、居室３８とロアストレージ３９が繋がる。
【００６２】
すなわち、本実施形態では、建物１０の上から順に、例えば、開口部７１、開口部９６Ａ、開口部８６、開口部７４及び開口部９２を通じて、３階部分１６の主寝室６８、２階部分１４の収納棚９６（ＬＤＫ４６）、１．５階部分２０のミドルストレージ４０、１階部分１２の居室３８及び０．５階部分１８のロアストレージ３９が繋がっている。
【００６３】
これにより、本実施形態では、階段部３０を昇降することなく、収納部内の物品を階の異なる別の収納部、例えば、ミドルストレージ４０からＬＤＫ４６、収納棚９６、主寝室６８、又は居室３８、ロアストレージ３９へ移動させることが可能となる。つまり、下の階から上の階、又は上の階から下の階へ物品を移動させるときに便利である。
【００６４】
一般に、延べ床面積が１００平米以下の狭小建物では、大きな収納部を確保することが困難であり、建物内の各所に収納部が設けられることが多い。このため、階の異なる別の収納部へ物品を移動させるためには、階段部３０の昇降が必要となるが、重たい物品等を持って階段部３０を昇降する際は、困難な作業となる。
【００６５】
しかしながら、本実施形態では、前述のように、階段部３０を昇降することなく、階の異なる別の収納部へ物品を移動させることが可能であるため、延べ床面積が１００平米以下の狭小建物であっても、本態様を適用させることによって効率よく物品を移動させることができる。なお、当該建物１０は狭小建物に限るものではない。
【００６６】
また、本実施形態では、ロアストレージ３９の開口部９２は、ミドルストレージ４０の開口部７４の下方側、つまり、平面視でミドルストレージ４０の開口部７４の近傍に設けられている。このため、ミドルストレージ４０からロアストレージ３９へ物品を移動させる際に物品の移動距離が少なく便利である。
【００６７】
具体的に説明すると、本実施形態では、図１、図３に示されるように、居室３８の床部９０において、ロアストレージ３９と居室３８とを繋ぐ開口部９２は、平面視で、ミドルストレージ４０と居室３８を繋ぐ開口部７４が設けられた幅領域Ｗ１の範囲内に設けられている。これにより、当該開口部９２が、平面視で、開口部７４が設けられた幅領域Ｗ１の範囲外に配置された場合と比較して、物品を移動させる距離が短くなる分、ミドルストレージ４０とロアストレージ３９との間で物品の出し入れが容易になる。
【００６８】
また、本実施形態では、ミドルストレージ４０と居室３８との間を区画する縦壁部７２に対して、居室３８と玄関ホール２８を区画する区画壁３７は略直交して設けられており、当該区画壁３７に設けられた出入り口３７Ａは、当該縦壁部７２側に設けられている。そして、ロアストレージ３９と居室３８とを繋ぐ開口部９２は、平面視で、当該縦壁部７２から出入り口３７Ａが設けられた幅領域Ｗ２までを含む範囲Ｗ３内に配置されている。
【００６９】
これにより、当該開口部９２が、平面視で、当該縦壁部７２から出入り口３７Ａが設けられた幅領域Ｗ２までを含む範囲Ｗ３外に配置された場合と比較して、ミドルストレージ４０とロアストレージ３９との間で物品を移動させる距離が短くなる分、物品の出し入れが容易になる。
【００７０】
ここで、出入り口３７Ａは、区画壁３７の縦壁部７２側に設けられており、居室３８と玄関ホール２８とは隣接しているため、玄関部２６の近くに居室３８が設けられることとなる。したがって、本実施形態では、玄関部２６と居室３８との間で物品の移動をできるだけ短くして、玄関部２６とミドルストレージ４０又はロアストレージ３９との間で物品の出し入れを容易にすることが可能となる。
【００７１】
また、本実施形態では、ミドルストレージ４０と隣接して玄関部２６が設けられており、当該ミドルストレージ４０には、玄関部２６と当該ミドルストレージ４０を連通させる開口部８０が形成されている。すなわち、本実施形態では、ミドルストレージ４０は、居室３８及びＬＤＫ４６以外に玄関部２６とも繋がっている。このため、玄関部２６で荷下ろしした物品をミドルストレージ４０に収納することによって、階段部３０を昇降することなく、当該ミドルストレージ４０を通じて、当該物品を居室３８又はＬＤＫ４６へ移動させることが可能となる。
【００７２】
さらに、本実施形態では、ミドルストレージ４０の上方側には、ダイニング５０が設けられており、ミドルストレージ４０とダイニング５０とは、開口部８６を通じて連通可能とされている。すなわち、居室３８と玄関部２６とダイニング５０とは、ミドルストレージ４０を通じて互いに繋がっているため、玄関部２６で荷下ろしした物品をミドルストレージ４０に収納することによって、階段部３０を昇降することなく、当該ミドルストレージ４０を通じて、ＬＤＫ４６へ移動させることが可能となる。
【００７３】
また、前述のように、ミドルストレージ４０は居室３８の上部に設けられており、居室３８の床高さＨ２は、地盤面ＧＬよりも上方側に設定されている。このため、居室３８では、床高さＨ２が高くなった分、床面３８Ａからミドルストレージ４０と居室３８とを連通させる開口部７４までの高さが低くなっている。つまり、ミドルストレージ４０内の物品に対して居室３８から出し入れしやすくなっている。
【００７４】
また、本実施形態では、ロアストレージ３９の床高さＨ３は、地盤面ＧＬよりも下方側に設定しており、ロアストレージ３９の床高さＨ３を地盤面ＧＬに合わせた場合と比較して、ロアストレージ３９自体の高さを高くすることが可能となる。
【００７５】
また、本実施形態では、外壁１１に軒部４１が設けられ、当該軒部４１にミドルストレージ４０が設けられている。これにより、当該ミドルストレージ４０を居室３８側へ突出させる必要がなくなり、図示はしないが、ミドルストレージ４０を居室３８側へ突出させたと比較して、居室３８において、ミドルストレージ４０による圧迫感を抑制することができる。
【００７６】
さらに、本実施形態では、ミドルストレージ４０を含んでインナガレージ３６が設けられているが、当該ミドルストレージ４０はインナガレージ３６の奥側の上部に設けられているため、車両後部が第１収納部と干渉しないようにすることができる。つまり、インナガレージ３６におけるデッドスペースを第１収納部として活用することができる。
【００７７】
なお、本実施形態では、２階部分１４のＬＤＫ４６において設けられた収納棚９６を利用し、３階部分１６に設けられた主寝室６８の床部６９に開口部７１を形成して、当該収納棚９６を介して、２階部分１４と３階部分１６を連通させるようにしている。しかし、主寝室６８の床部６９に開口部７１を形成して２階部分１４と３階部分１６を連通させる構成は、必ずしも必要ではない。
【００７８】
＜請求項１、請求項５に記載されている構成と実施形態における構成との対応関係＞
（請求項１）
まず、請求項１に記載されている「所定の階」が１階部分１２である場合について説明する。
【００７９】
請求項１に記載されている「所定の階」が１階部分１２である場合、第１空間部は居室３８、第１収納部はミドルストレージ４０、第１開口部は開口部７４、第２空間部はＬＤＫ４６、第２開口部は開口部８６、第２収納部はロアストレージ３９、第３開口部は開口部９２となる。
【００８０】
すなわち、本実施形態では、建物１０の上から順に、開口部８６、開口部７４及び開口部９２を通じて、２階部分１４のＬＤＫ４６、１．５階部分２０のミドルストレージ４０、１階部分１２の居室３８及び０．５階部分１８のロアストレージ３９が繋がっている。
【００８１】
以上の構成により、本実施形態では、階段部３０を昇降することなく、収納部内の物品を階の異なる別の収納部、例えば、ミドルストレージ４０からＬＤＫ４６、又はミドルストレージ４０から居室３８、ロアストレージ３９へ移動させることが可能となる。つまり、下の階から上の階、又は上の階から下の階へ物品を移動させるときに便利である。
【００８２】
次に、請求項１に記載されている「所定の階」が２階部分１４である場合について説明する。
【００８３】
請求項１に記載されている「所定の階」が２階部分１４である場合、第１空間部はＬＤＫ４６、第１収納部は収納棚９６の上段部９６Ｂ、第１開口部は開口部９６Ａ、第２空間部は主寝室６８、第２開口部は開口部７１、第２収納部はミドルストレージ４０、第３開口部は開口部８６となる。
【００８４】
すなわち、本実施形態では、建物１０の上から順に、開口部７１、開口部９６Ａ、開口部８６を通じて、３階部分１６の主寝室６８、２階部分１４の収納棚９６、ＬＤＫ４６、１．５階部分２０のミドルストレージ４０が繋がっている。
【００８５】
以上の構成により、本実施形態では、階段部３０を昇降することなく、収納部内の物品を階の異なる別の収納部、例えば、収納棚９６から主寝室６８、又は収納棚９６からミドルストレージ４０へ移動させることが可能となる。つまり、下の階から上の階、又は上の階から下の階へ物品を移動させるときに便利である。
【００８６】
（請求項５）
一方、請求項５に記載されている「所定の階」が１階部分１２である場合について説明する。
【００８７】
請求項５に記載されている「所定の階」が１階部分１２である場合、第１空間部は居室３８、第１収納部はミドルストレージ４０、第１開口部は開口部７４、第２空間部はＬＤＫ４６、第２開口部は開口部８６、第２収納部は収納棚９６、第３開口部は開口部９６Ａとなる。
【００８８】
すなわち、本実施形態では、建物１０の上から順に、開口部９６Ａ、開口部８６及び開口部７４を通じて、２階部分１４の収納棚９６、ＬＤＫ４６、１．５階部分２０のミドルストレージ４０、１階部分１２の居室３８が繋がっている。
【００８９】
以上の構成により、本実施形態では、階段部３０を昇降することなく、収納部内の物品を階の異なる別の収納部、例えば、ミドルストレージ４０からＬＤＫ４６、収納棚９６又はミドルストレージ４０から居室３８へ移動させることが可能となる。つまり、下の階から上の階、又は上の階から下の階へ物品を移動させるときに便利である。
【００９０】
次に、請求項５に記載されている「所定の階」が２階部分１４である場合について説明する。
【００９１】
請求項５に記載されている「所定の階」が２階部分１４である場合、第１空間部はＬＤＫ４６、第１収納部は収納棚９６の上段部９６Ｂ、第１開口部は開口部９６Ａ、第２空間部は主寝室６８、第２開口部は開口部７１、第２収納部はＷＩＣ７０、第３開口部は開口部７０Ａとなる。
【００９２】
すなわち、本実施形態では、建物１０の上から順に、開口部７０Ａ、開口部７１及び開口部９６Ａを通じて、３階部分１６のＷＩＣ７０、２階部分１４の収納棚９６、ＬＤＫ４６が繋がっている。
【００９３】
以上の構成により、本実施形態では、階段部３０を昇降することなく、収納部内の物品を階の異なる別の収納部、例えば、収納棚９６からＬＤＫ４６、又は収納棚９６からＷＩＣ７０へ移動させることが可能となる。つまり、下の階から上の階、又は上の階から下の階へ物品を移動させるときに便利である。
【００９４】
（上記実施形態の補足事項）
なお、以上の実施形態では、図１に示されるように、１階部分１２に設けられた第１空間部としての居室３８の上部、かつ２階部分１４に設けられた第２空間部としてのＬＤＫ４６の下階に、ミドルストレージ４０が設けられると共に、居室３８の下階にはロアストレージ３９が設けられ、当該ミドルストレージ４０が居室３８、ＬＤＫ４６及び玄関部２６と繋がると共に、居室３８がロアストレージ３９と繋がっている。
【００９５】
しかし、本態様では、階段部３０を昇降することなく、収納部内の物品を階の異なる別の収納部へ移動させることができればよいため、これに限るものではない。すなわち、ミドルストレージ４０が居室３８、ＬＤＫ４６及び玄関部２６と繋がっているが、当該ミドルストレージ４０は必ずしも玄関部２６と繋がる必要はない。また、第１空間部及び第２空間部について、居室３８、ＬＤＫ４６である必要はなく、それぞれ１階部分１２、２階部分１４の他の空間部であってもよい。
【００９６】
また、以上の実施形態では、ミドルストレージ４０は、外壁１１に軒部４１が設けられているが、当該軒部４１は必ずしも必要ではない。外壁１１に軒部４１が設けられない場合、ミドルストレージ４０は居室３８側へ突出することとなるが、居室３８側では、ミドルストレージ４０の下方側の空間を利用することができる。
【００９７】
さらに、以上の実施形態では、居室３８の床高さＨ２は、地盤面ＧＬよりも上方側に設定されているが、地盤面ＧＬと略同じ高さに設定されてもよい。この場合、いわゆるバリアフリーの建物として適用される。
【００９８】
また、以上の実施形態では、ロアストレージ３９の床高さＨ３は、地盤面ＧＬよりも下方側に設定されているが、これに限るものではなく、地盤面ＧＬと略同じ高さに設定されてもよい。この場合、地盤面ＧＬよりも下方側にロアストレージ３９が設けられた場合と比較して、建築費を安くすることができる。
【００９９】
さらにまた、以上の実施形態では、インナガレージ３６が設けられているが、当該インナガレージ３６は必ずしも必要ではない。
【０１００】
以上、本発明を実施するための一形態として一実施例を用いて説明したが、本発明はこうした一実施例に何ら限定されるものではなく、本発明の要旨を逸脱しない範囲内において、上述した一実施例に種々の変形及び置換を行うことができる。
【符号の説明】
【０１０１】
１０      建物
１２      １階部分
１５      屋内（屋内空間）
２６      玄関部
２８      玄関ホール
３７      区画壁
３８      居室
３９      ロアストレージ
４０      ミドルストレージ
４６      ＬＤＫ（リビングダイニングキッチン）
６８      主寝室
７０Ａ    開口部
７１      開口部
７２      縦壁部（壁部）
７４      開口部
８０      開口部
８６      開口部
９０      床部
９２      開口部
９６      収納棚
９６Ａ    開口部
９６Ｂ    上段部
Ｗ１      第１開口部が設けられた幅領域
Ｗ２      出入り口が設けられた幅領域
Ｗ３      壁部から出入り口が設けられた幅領域までを含む範囲
【図１】
2020105826.tif 000003
【図２】
2020105826.tif 000004
【図３】
2020105826.tif 000005
【図４】
2020105826.tif 000006
【図５】
2020105826.tif 000007